(57)【特許請求の範囲】
【請求項１】
マップスイッチングを通してレジスタより少なくともＭ（Ｍは２以上の整数）倍多い多数の光源ボックスに対するマップセッティングを行うマップセッティング部；
マップセッティングが行われたそれぞれの前記光源ボックス内に含まれた基準映像のホワイトピクセルの個数をカウントするピクセルカウント部；
最大個数のホワイトピクセルを有する最大光源ボックスに基づいて光源を選択する光源選択部；及び
前記最大光源ボックスのマッピング値に基づいてレッドゲイン（ｒｅｄ  ｇａｉｎ：Ｒ＿ｇａｉｎ）及びブルーゲイン（ｂｌｕｅ  ｇａｉｎ：Ｂ＿ｇａｉｎ）を計算して自動ホワイトバランス（ＡＷＢ：Ａｕｔｏ  Ｗｈｉｔｅ  Ｂａｌａｎｃｅ）を調整するバランスゲイン適用部；を含む自動ホワイトバランス（ＡＷＢ：Ａｕｔｏ  Ｗｈｉｔｅ  Ｂａｌａｎｃｅ）調整装置。
【請求項２】
前記マップセッティング部は、８個の前記レジスタを用いて第ｎ−１のフレームと第ｎのフレームにそれぞれ８個の前記光源ボックスに対する情報を分けてセッティングし、
前記ピクセルカウント部は、臨時メモリを用いてそれぞれの前記光源ボックス内の前記ホワイトピクセルの個数をカウントし、
前記バランスゲイン適用部は、前記最大光源ボックスに基づいて計算した前記レッドゲイン及びブルーゲインを第ｎ＋１のフレームに適用することを特徴とする、請求項１に記載のＡＷＢ調整装置。
【請求項３】
前記マップセッティング部は、光ブース内にグレーチャートを充填した状態で前記各光源ボックスを試験光源によって順次配列し、マップをセッティングすることを特徴とする、請求項１に記載のＡＷＢ調整装置。
【請求項４】
前記基準映像は、レンズシェーディング補正のみを行った映像であって、
前記試験光源は、前記光ブースで規定された色温度を有するＨｏｒｉｚｏｎ、Ａ、ＴＬ８４、ＣＷＦ、Ｆｌｕｏｒｅｓｃｅｎｔ、及びＤａｙｌｉｇｈｔのうち少なくとも一つに対応する光源を含み、
前記各光源ボックスは、色座標系上の前記各試験光源間に空の空間が生じないように配置されることを特徴とする、請求項３に記載のＡＷＢ調整装置。
【請求項５】
前記バランスゲイン適用部は、前記基準映像のレッドカラー値及びブルーカラー値に前記最大光源ボックスのマッピング値を掛けることによって前記レッドゲイン及びブルーゲインを計算することを特徴とする、請求項１に記載のＡＷＢ調整装置。
【請求項６】
前記レッドゲインは、前記最大光源ボックス内のレッドカラー値の和をグリーン（ｇｒｅｅｎ：Ｇ）カラー値の和で割った値であるＲ／Ｇ比率値を求め、カラースペースの中間値を前記Ｒ／Ｇ比率値で割った結果値に１０ビット値（１０２４）を掛けて計算し、
前記ブルーゲインは、前記最大光源ボックス内のブルーカラー値の和をグリーンカラー値の和で割った値であるＢ／Ｇ比率値を求め、カラースペースの中間値を前記Ｂ／Ｇ比率値で割った結果値に１０ビット値（１０２４）を掛けて計算するように前記バランスゲイン適用部が構成されたことを特徴とする、請求項５に記載のＡＷＢ調整装置。
【請求項７】
前記光源選択部での前記光源の誤検出を補償するための防御コード部をさらに含むことを特徴とする、請求項１に記載のＡＷＢ調整装置。
【請求項８】
前記防御コード部は、ＡＥ（Ａｕｔｏ  Ｅｘｐｏｓｕｒｅ）時間を所定しきい値と比較して室外環境であるか、それとも室内環境であるかを判断し、
室外環境である場合は、抽出されたＡＷＢの所定範囲内で前記レッドゲイン又はブルーゲインを調整するプリデファインド方式を通して前記ＡＷＢを調整し、
室内環境である場合は、前記防御コード部がデイライト光源であるかどうかを判断した後、前記デイライト光源の場合は、前記プリデファインド方式を通して前記ＡＷＢを調整し、前記デイライト光源でない場合は、前記バランスゲイン適用部を通して前記レッドゲイン及びブルーゲインを調整するノン―プリデファインド方式を通して前記ＡＷＢを調整することを特徴とする、請求項７に記載のＡＷＢ調整装置。
【請求項９】
被写体に対するアナログイメージ信号を出力するイメージセンサー；
前記アナログイメージ信号をデジタル化し、マップスイッチングを通してレジスタより少なくともＭ（Ｍは２以上の整数）倍多い光源ボックスに対するマップセッティングを行い、マップセッティングが行われたそれぞれの前記光源ボックス内に最大個数のホワイトピクセルを有する最大光源ボックスに基づいて光源を選択し、前記最大光源ボックスのマッピング値に基づいてレッドゲイン（ｒｅｄ  ｇａｉｎ：Ｒ＿ｇａｉｎ）及びブルーゲイン（ｂｌｕｅ  ｇａｉｎ：Ｂ＿ｇａｉｎ）を計算してＡＷＢを調整し、出力のためのビデオ映像信号に変換させるイメージ信号処理装置；
前記イメージ信号処理装置から前記ビデオ映像信号を受けてディスプレイ装置に出力する出力部；及び
前記イメージセンサー、イメージ信号処理装置及び出力部を制御する制御部；を含むことを特徴とする映像処理装置。
【請求項１０】
前記イメージ信号処理装置は、前記ＡＷＢ調整のためのＡＷＢ調整装置を含み、
前記ＡＷＢ調整装置は、
前記レジスタを用いて第ｎ−１のフレームと第ｎのフレームにそれぞれ前記光源ボックスに対する情報を分けてセッティングするマップセッティング部と、臨時メモリを用いてそれぞれの前記光源ボックス内の前記ホワイトピクセルの個数をカウントするピクセルカウント部と、前記最大光源ボックスに基づいて該当の前記光源を選択する光源選択部と、前記最大光源ボックスに基づいて計算した前記レッドゲイン及びブルーゲインを第ｎ＋１のフレームに適用するバランスゲイン適用部と、を含むことを特徴とする、請求項９に記載の映像処理装置。
【請求項１１】
前記イメージ信号処理装置は、レッドカラー値及びブルーカラー値に前記最大光源ボックスのマッピング値を掛けることによって前記レッドゲイン及びブルーゲインを計算するように構成されたことを特徴とする、請求項９に記載の映像処理装置。
【請求項１２】
前記イメージ信号処理装置は、前記ＡＷＢ調整のためのＡＷＢ調整装置を含み、
前記ＡＷＢ調整装置は、選択された前記光源の誤検出を補償するために、ＡＥ時間を所定しきい値と比較して室外環境であるか、それとも室内環境であるかを判断し、抽出されたＡＷＢの所定範囲内で前記レッドゲイン又はブルーゲインを調整する方式、又はバランスゲイン適用部を通して前記レッドゲイン及びブルーゲインを計算して調整する方式を選択的に適用させる防御コード部をさらに含むことを特徴とする、請求項９に記載の映像処理装置。
【請求項１３】
データ処理装置によって行われる自動ホワイトバランス（ＡＷＢ：Ａｕｔｏ  Ｗｈｉｔｅ  Ｂａｌａｎｃｅ）を調整する方法において、
前記データ処理装置で、マップスイッチングを通してレジスタより少なくともＭ（Ｍは２以上の整数）倍多い光源ボックスに対するマップセッティングを行うこと；
前記データ処理装置で、マップセッティングが行われたそれぞれの前記光源ボックス内に含まれた基準映像のホワイトピクセルの個数をカウントすること；
前記データ処理装置で、最大個数のホワイトピクセルを有する最大光源ボックスに基づいて光源を選択すること；及び
前記最大光源ボックスのマッピング値に基づいてレッドゲイン及びブルーゲインを計算し、ＡＷＢを調整するバランスゲインを適用すること；を含むＡＷＢ調整方法。
【請求項１４】
前記マップセッティングを行うことは、
８個の前記レジスタを用いて第ｎ−１のフレームと第ｎのフレームにそれぞれ８個の前記光源ボックスに対する情報を分けてセッティングすること；
前記ホワイトピクセルをカウントするとき、臨時メモリを用いてそれぞれの前記光源ボックス内の前記ホワイトピクセルの個数をカウントすること；及び
前記バランスゲインを適用するときは、前記最大光源ボックスに基づいて計算した前記レッドゲイン及びブルーゲインを第ｎ＋１のフレームに適用することを含むことを特徴とする、請求項１３に記載のＡＷＢ調整方法。
【請求項１５】
前記マップセッティングを行うときは、光ブース内にグレーチャートを充填した状態で最大１６個の光源ボックスを順次配列し、
前記光ブースで規定された色温度を有するＨｏｒｉｚｏｎ、Ａ、ＴＬ８４、ＣＷＦ、Ｆｌｕｏｒｅｓｃｅｎｔ、及びＤａｙｌｉｇｈｔを含む試験光源によって順次配列することを特徴とする、請求項１３に記載のＡＷＢ調整方法。
【請求項１６】
前記バランスゲインを適用するとき、前記レッドゲイン及びブルーゲインは、レッドカラー値及びブルーカラー値に前記最大光源ボックスのマッピング値を掛けることによって計算することを特徴とする、請求項１３に記載のＡＷＢ調整方法。
【請求項１７】
前記レッドゲインは、前記最大光源ボックス内のレッドカラー値の和をグリーン（ｇｒｅｅｎ:Ｇ）カラー値の和で割った値であるＲ／Ｇ比率値を求め、カラースペースの中間値を前記Ｒ／Ｇ比率値で割った結果値に１０ビット値（１０２４）を掛けて計算し、
前記ブルーゲインは、前記最大光源ボックス内のブルーカラー値の和をグリーンカラー値の和で割った値であるＢ／Ｇ比率値を求め、カラースペースの中間値を前記Ｂ／Ｇ比率値で割った結果値に１０ビット値（１０２４）を掛けて計算することを特徴とする、請求項１６に記載のＡＷＢ調整方法。
【請求項１８】
前記バランスゲインを適用する前に、
前記光源の誤検出を補償するために、室外環境であるか、それとも室内環境であるかを判断することをさらに含むことを特徴とする、請求項１３に記載のＡＷＢ調整方法。
【請求項１９】
前記環境を判断することは、
まず、ＡＥ時間を所定しきい値と比較して室外環境であるか、それとも室内環境であるかを判断すること；及び
前記判断の結果、室内環境である場合は、デイライトであるかどうかを判断すること；を含むことを特徴とする、請求項１８に記載のＡＷＢ調整方法。
【請求項２０】
前記バランスゲインを適用するときは、
前記室外環境であるか、又は前記デイライトである場合は、抽出されたＡＷＢの所定範囲内で前記レッドゲイン又はブルーゲインを調整する方式を通して前記ＡＷＢを調整し、
前記室内環境であり、かつ前記デイライトでない場合は、前記最大光源ボックスのマッピング値に基づいてレッドゲイン及びブルーゲインを計算して前記ＡＷＢを調整することを特徴とする、請求項１９に記載のＡＷＢ調整方法。
【発明の詳細な説明】
【技術分野】
【０００１】
本発明は、デジタル映像処理技術に関するものである。
【背景技術】
【０００２】
現在、デジタル映像処理装置に関する関心と普及の拡大とともに、デジタル映像処理装置の信号処理に必須な自動ホワイトバランス（Ａｕｔｏ  Ｗｈｉｔｅ  Ｖａｌａｎｃｅ：ＡＷＢ）機能が適用されている。
【０００３】
ＡＷＢは、ホワイト色相を受像するとき、輝度の明るい部分や暗い部分で色温度が一定になるように、すなわち、電気的に無彩色になるように赤（Ｒ）、緑（Ｇ）、青（Ｂ）の利得（ｇａｉｎ）を自動で調整することをいう。このようなＡＷＢ機能を具現するために多様な方法が提示されており、そのうちの一つが電荷結合素子（Ｃｈａｒｇｅ  Ｃｏｕｐｌｅｄ  Ｄｅｖｉｃｅ；ＣＣＤ）を通して入力される映像信号を自動露出（Ａｕｔｏ  Ｅｘｐｏｓｕｒｅ；ＡＥ）処理が終了した後の全体画面に対して積分し、ＡＷＢを行う方法である。
【０００４】
従来のＡＷＢ処理方法についてより詳細に説明すると、レンズを通して入力される被写体からの光学的映像信号は、ＣＣＤを通して光電変換される。光電変換された映像信号は、ＤＲＡＭなどのメモリに一つの画面単位、すなわち、フレーム単位で格納される。従来のＡＷＢ方法は、ＣＣＤ入力値としての画面全体を積分して無彩色を得られることを用い、このとき、色温度に対する色座標系としてはＲ／Ｇ、Ｂ／Ｇ座標系を使用する。色温度によって示される色の領域を決定するために画面全体を積分するにおいて、非常に明るい部分と非常に暗い部分は画面全体を飽和又は歪曲させるおそれがあるので除外する。
【０００５】
モザイク式ＣＣＤにおいて、一つの色を表すことのできる単位は２×２画素サイズである。そのため、メモリに格納された映像信号は、一つの画面全体に対して２×２画素サイズを基本単位にして積分し、そのうち非常に明るい部分と非常に暗い部分に対してクリッピング（ｃｌｉｐｐｉｎｇ）を行ってそれら部分を除外し、有効な部分のみに対してゲインを計算する。その後、画面全体を所定の画素サイズのブロック単位に分け、ブロック全体に対して光源を検出する。そして、検出された光源に対してＡＷＢ処理を行い、このときに求められたＡＷＢゲインを画面全体に適用するようになる。
【０００６】
現在、デジタル映像処理装置は、量産時に適用されたＡＷＢパラメーターを基準にしてＡＷＢアルゴリズムを適用し、世界中どこでも同一の方式でＡＷＢを実行している。すなわち、映像が撮影される場所及び時間情報を用いることなく、各製造社で定められた標準場面と標準チャートを用いてＡＷＢ性能を最適化している。しかし、地域別及び時間別に色温度が異なるので、認知色感の側面で見ると、同一の被写体を撮影するとしても、写真には撮影した場所及び時間によって異なる色が表現される。しかし、現在、デジタルカメラは、各製造社でサポートする標準場面と標準チャート以外の場所で映像が撮影されたとき、その場所及び時間での最適化されたＡＷＢ性能を得ることが難しい実情にある。
【発明の概要】
【発明が解決しようとする課題】
【０００７】
本発明は、周辺環境によって画面の色相変化が不安定になる問題を解決し、色感をより正確に表現することができ、室外と室内とを区分してホワイトバランス（ＷＢ）を処理することによって誤差率を減少させ、また、ユーザー及び開発者の趣向に合わせて色感にゲインを適用することによって、より柔軟なＡＷＢを実行できる自動ホワイトバランス（ＡＷＢ）調整のための技術、システム及び装置を提供する。
【課題を解決するための手段】
【０００８】
本発明の一態様によると、自動ホワイトバランス（ＡＷＢ；ａｄｊｕｓｔｉｎｇ  ａｕｔｏ  ｗｈｉｔｅ  ｂａｌａｎｃｅ）調整装置は、マップスイッチングを通してレジスタより少なくともＭ（Ｍは２以上の整数）倍多い多数の光源ボックスに対するマップセッティングを行うマップセッティング部を含む。ＡＷＢ調整装置は、マップセッティングが行われたそれぞれの前記光源ボックス内に含まれた基準映像のホワイトピクセルの個数をカウントするピクセルカウント部を含む。ＡＷＢ調整装置は、最大個数のホワイトピクセルを有する最大光源ボックスに基づいて光源を選択する光源選択部を含む。ＡＷＢ調整装置は、前記最大光源ボックスのマッピング値に基づいてレッドゲイン（ｒｅｄ  ｇａｉｎ：Ｒ＿ｇａｉｎ）及びブルーゲイン（ｂｌｕｅ  ｇａｉｎ：Ｂ＿ｇａｉｎ）を計算し、自動ホワイトバランス（ＡＷＢ：Ａｕｔｏ  Ｗｈｉｔｅ  Ｂａｌａｎｃｅ）を調整するバランスゲイン適用部を含む。
【０００９】
本発明において、前記マップセッティング部は、８個の前記レジスタを用いて第ｎ−１のフレームと第ｎのフレームにそれぞれ８個の前記光源ボックスに対する情報を分けてセッティングし、前記ピクセルカウント部は、臨時メモリを用いてそれぞれの前記光源ボックス内の前記ホワイトピクセルの個数をカウントし、前記バランスゲイン適用部は、前記最大光源ボックスに基づいて計算した前記レッドゲイン及びブルーゲインを第ｎ＋１のフレームに適用することができる。ここで、前記レッドゲイン及びブルーゲインは、前記基準映像のレッドカラー値及びブルーカラー値に前記最大光源ボックスのマッピング値を掛けることによって計算することができる。
【００１０】
本発明の更に他の態様によると、映像処理装置は、被写体に対するアナログイメージ信号を出力するイメージセンサーを含む。前記映像処理装置は、前記アナログイメージ信号をデジタル化し、マップスイッチングを通してレジスタより少なくともＭ（Ｍは２以上の整数）倍多い光源ボックスに対するマップセッティングを行い、マップセッティングが行われたそれぞれの前記光源ボックス内に最大個数のホワイトピクセルを有する最大光源ボックスに基づいて光源を選択し、前記最大光源ボックスのマッピング値に基づいてレッドゲイン（ｒｅｄ  ｇａｉｎ：Ｒ＿ｇａｉｎ）及びブルーゲイン（ｂｌｕｅ  ｇａｉｎ：Ｂ＿ｇａｉｎ）を計算してＡＷＢを調整し、出力のためのビデオ映像信号に変換させるイメージ信号処理装置を含む。前記映像処理装置は、前記イメージ信号処理装置から前記ビデオ映像信号を受けてディスプレイ装置に出力する出力部を含む。前記映像処理装置は、前記イメージセンサー、イメージ信号処理装置及び出力部を制御する制御部を含み、前記ＡＷＢは、前記ＡＷＢ調整装置によって調整することができる。
【００１１】
本発明の更に他の態様によると、自動ホワイトバランス（ＡＷＢ：Ａｕｔｏ  Ｗｈｉｔｅ  Ｂａｌａｎｃｅ）を調整する方法は、前記データ処理装置で、マップスイッチングを通してレジスタより少なくともＭ（Ｍは２以上の整数）倍多い光源ボックスに対するマップセッティングを行うことを含む。前記方法は、前記データ処理装置で、マップセッティングが行われたそれぞれの前記光源ボックス内に含まれた基準映像のホワイトピクセルの個数をカウントすることを含む。前記方法は、前記データ処理装置で、最大個数のホワイトピクセルを有する最大光源ボックスに基づいて光源を選択することを含む。前記方法は、前記最大光源ボックスのマッピング値に基づいてレッドゲイン及びブルーゲインを計算し、ＡＷＢを調整するバランスゲインを適用することを含む。
【００１２】
本発明の更に他の態様によると、自動ホワイトバランス（ＡＷＢ：Ａｕｔｏ  Ｗｈｉｔｅ  Ｂａｌａｎｃｅ）を調整する方法は、マップスイッチングを通してレジスタより少なくともＭ（Ｍは２以上の整数）倍多い光源ボックスに対するマップセッティングを行うことを含む。前記方法は、マップセッティングが行われたそれぞれの前記光源ボックス内に含まれた基準映像のホワイトピクセルの個数をカウントすることを含む。前記方法は、最大個数のホワイトピクセルを有する最大光源ボックスに基づいて光源を選択することを含む。前記方法は、前記光源の誤検出を補償するために、与えられた位置が室外環境であるか、それとも室内環境であるかを判断することを含む。前記方法は、前記最大光源ボックスのマッピング値に基づいてレッドゲイン及びブルーゲインを計算し、ＡＷＢを調整するバランスゲインを適用することを含む。
【００１３】
本発明において、前記ＡＷＢを調整するときは、前記室外環境であるか、又はデイライト（Ｄａｙｌｉｇｈｔ）である場合は、抽出されたＡＷＢの所定範囲内で前記レッドゲイン又はブルーゲインを調整するプリデファインド（ｐｒｅｄｅｆｉｎｅｄ）方式を通して前記ＡＷＢを調整し、前記室内環境であり、かつ前記デイライトでない場合は、前記最大光源ボックスのマッピング値に基づいてレッドゲイン及びブルーゲインを計算するノン―プリデファインド（ｎｏｎ―ｐｒｅｄｅｆｉｎｅｄ）方式を通して前記ＡＷＢを調整することができる。  
【発明の効果】
【００１４】
本発明に係る自動ホワイトバランス（ＡＷＢ）調整装置と方法及びその調整装置を含む映像処理装置は、マップスイッチングを通して最大１６個の光源ボックスを使用することによって、各光源間の偏差が減少し、画面の色相変化が大きく不安定になる問題を解決することができ、その結果、イメージセンサーの品質を向上させることができる。
【００１５】
また、本発明は、光源ボックスの個数が増加するとともに、各光源ボックスがより小さくかつ稠密に配置されるので、該当光源に属しない色が入る確率が低くなり、色感をより正確に表現することができる。
【００１６】
さらに、本発明は、防御コード部を設けることによって、太陽光と室内光が複合的に表れる環境のような多重光源環境で光源を誤検出する可能性を減少させ、周辺環境に対するバランス色感を極大化して表現することができ、また、ユーザー及び開発者の趣向に合わせて色感にゲインを適用することによって、より柔軟なＡＷＢを実行できるようにする。
【図面の簡単な説明】
【００１７】
【図１】本発明の一実施例に係る映像処理装置に対するブロック構造図である。
【図２】図１の映像処理装置内のＡＷＢ装置を示すブロック構造図である。
【図３】図１の映像処理装置内のＡＷＢ装置を示すブロック構造図である。
【図４】本発明の一実施例に係る色座標系内に光源ボックスを並べる状態を示す図である。
【図５】本発明のＡＷＢ装置内のマップセッティング部及びピクセルカウント部の動作を示す概念図である。
【図６】本発明の一実施例に係るＡＷＢが補正されていない場合の各色点の位置を示す色座標系を示す図である。
【図７】図６の各色点に対応する演色性チャートを示す図である。
【図８】本発明の一実施例に係るＡＷＢが補正された場合の各色点の位置を示す色座標系を示す図である。
【図９】図８の各色点に対応する演色性チャートを示す図である。
【図１０】本発明の他の実施例に係るＡＷＢ調整方法を示すフローチャートである。
【図１１】本発明の更に他の実施例に係るＡＷＢ調整方法を示すフローチャートである。
【図１２】図１１の撮影環境判断段階とＡＷＢ調整段階を示すフローチャートである。
【発明を実施するための形態】
【００１８】
以下では、添付の図面を参照して本発明の好適な実施例を詳細に説明する。以下の説明で、いずれかの構成要素が他の構成要素に連結されると記述される場合、いずれかの構成要素が他の構成要素と直ぐ連結されてもよく、それらの間に第３の構成要素が介在してもよい。また、図面における各構成要素の構造や大きさは、説明の便宜及び明確性のために誇張されており、説明と関係のない部分は省略した。図面における同一の符号は同一の要素を称する。一方、使用される各用語は、単に本発明を説明するために使用されたものに過ぎなく、意味を限定したり、特許請求の範囲に記載された本発明の範囲を制限するために使用されたものではない。
【００１９】
図１は、本発明の一実施例に係る映像処理装置に対するブロック構造図である。
【００２０】
図１を参照すると、本実施例の映像処理装置は、イメージセンサー１１００、イメージ信号処理装置１０００、出力部１２００及び制御部１３００を含む。
【００２１】
イメージセンサー１１００は、被写体をキャプチャし、被写体に対するアナログイメージ信号を出力する。イメージ信号処理装置１０００は、Ａ／Ｄコンバータ（図示せず）、ガンマ補正部（図示せず）、ＡＷＢ調整装置１００などを含み、アナログイメージ信号のデジタル化、信号歪曲補正及び光源によるＡＷＢ調整などを通して、出力のためのビデオ映像信号を生成する機能を行う。イメージ信号処理装置１０００内のＡＷＢ調整装置１００は、周辺環境によって画面の色相変化が不安定になる問題を解決し、色感をより正確に表現することができ、室外と室内とを区分してホワイトバランス（ＷＢ）を処理することによって誤差率を減少させ、結果的により柔軟なＡＷＢを実行できるようにする。以下、ＡＷＢ調整装置１００については、図２及び図３に対する説明部分でより詳細に記述する。
【００２２】
出力部１２００は、イメージ信号処理装置１０００から前記ビデオ映像信号を受けてディスプレイ装置に出力し、制御部１３００は、イメージセンサー１１００、イメージ信号処理装置１０００及び出力部１２００を全般的に制御する。一方、図示していないが、本発明の映像処理装置は、イメージ信号処理のために必要な多様なデータを格納する格納装置を含むことができる。
【００２３】
本実施例の映像処理装置は、イメージ信号処理装置１０００内の周辺環境によって柔軟にＡＷＢを調整できるように、マップスイッチングを通して最大１６個の光源ボックスを用いることのできるＡＷＢ調整装置１００を含むことによって、各光源間の偏差を減少させ、画面の色相変化が大きく不安定になる問題を解決することができ、その結果、イメージセンサーの品質を向上させることができ、また、各光源ボックスをより小さくかつ稠密に配置することによって、該当光源に属しない色が入る確率を低下させ、色感をより正確に表現できるようにする。
【００２４】
図２及び図３は、図１の映像処理装置内のＡＷＢ装置をより詳細に示すブロック構造図である。
【００２５】
図２を参照すると、本実施例のＡＷＢ調整装置１００は、マップセッティング部１１０、ピクセルカウント部１２０、光源選択部１３０及びバランスゲイン適用部１４０を含む。
【００２６】
マップセッティング部１１０は、８個のレジスタを用いて構成される各光源ボックスに対してマップをスイッチングする方式を通して２倍の光源ボックスに対してマップセッティングを行う機能をする。すなわち、従来は、８個のレジスタを用いて一つのフレームに８個の光源ボックスに対するマップセッティングを行い、そのマップセッティングが行われたそれぞれのフレームに対して光源を追跡していたが、本実施例では、８個のレジスタを用いていずれか一つのフレームに最大８個の光源ボックスをマッピングし、直ぐ次のフレームに再び最大８個の光源ボックスをマッピングし、スイッチングを通して二つのフレームの１６個の光源ボックスを共に用いる方法を通して既存の光源ボックスの個数の最大２倍、すなわち、最大１６個の光源ボックスを用いて光源を追跡するようになる。このようなマップセッティングに対する内容は、図４を参照してより詳細に説明する。本実施例では、マップスイッチング方式を通して２倍の光源ボックスに対してマップセッティングを行う方法を説明したが、必要によっては、それ以上の光源ボックスをマップスイッチングを通してマップセッティング可能であることは当然である。
【００２７】
ピクセルカウント部１２０は、マップセッティングが行われたそれぞれの光源ボックス内の基準映像のホワイトピクセルの個数をカウントし、カウントされた個数を臨時格納装置に格納し、ホワイトピクセルの個数が最も多い最大光源ボックスを探す。また、ホワイトピクセルの個数によって光源ボックスをソート（ｓｏｒｔｉｎｇ）する機能もする。ここで、ホワイトピクセルは、室外及び室内で撮影した複数のグレーチャートやマクベスチャート（Ｍａｃｂｅｔｈ  ｃｈａｒｔ）を用いた基準映像から抽出するが、このような基準映像は、グレーチャートの各パッチ領域からホワイトピクセルの個数が充分に含まれるカラー情報からなることが望ましく、また、その基準映像のホワイトピクセルのカウントは、マクベスチャートのグレーパッチ部分の各ピクセルをカウントすることによって行うことが望ましい。
【００２８】
一方、基準映像のホワイトピクセルを正確にカウントするためには、単にレンズシェーディング（Ｌｅｎｓ  Ｓｈａｄｉｎｇ）補正のみを経た後の映像を使用してマップセッティングを行うことが望ましい。ここで、レンズシェーディング補正は、レンズのサイズによってレンズ周辺部の明るさがその中央部の明るさより減少する現象を除去するために行われる補正である。
【００２９】
光源選択部１３０は、ピクセルカウント部１２０でカウントしたホワイトピクセルの個数が最大である最大光源ボックスに基づいて該当の光源を選択する。すなわち、各光源ボックスは、上述したマップセッティング部１１０を通して光ブース（ｌｉｇｈｔ  ｂｏｏｔｈ）で規定された色温度を有するＨｏｒｉｚｏｎ、Ａ、ＴＬ８４、ＣＷＦ、Ｆｌｕｏｒｅｓｃｅｎｔ、Ｄａｙｌｉｇｈｔなどに該当する各試験光源によってマップセッティングを行うようになる。したがって、ホワイトピクセルの個数が最大である最大光源ボックスを探すと、その最大光源ボックスに対応する試験光源を現在の映像の光源として選択することができる。
【００３０】
バランスゲイン適用部１４０は、光源選択部１３０で光源を選択した後、最大光源ボックスのマッピング値に基づいてレッドゲイン（ｒｅｄ  ｇａｉｎ：Ｒ＿ｇａｉｎ）及びブルーゲイン（ｂｌｕｅ  ｇａｉｎ：Ｂ＿ｇａｉｎ）を計算する。ここで、計算されたレッドゲインやブルーゲインは、基準映像のレッド及びブルーのカラー値を最大光源ボックスのマッピング値を用いて補正した新しい補正映像のレッドゲイン及びブルーゲインである。このようなレッドゲイン及びブルーゲインの補正は、Ｒ／Ｇ及びＢ／Ｇを軸にする色温度に対する色座標系上で該当の光源ボックスに属していた各ホワイトピクセルを色座標系上の中心部分に移動させるという概念である。これは、図６〜図９を参照すると容易に理解することができる。
【００３１】
レッドゲインやブルーゲインの調整は、基本的に、
「基準映像のＲ及びＢのカラー値＊マッピング値＝補正映像のＲ及びＢゲイン」の概念に基づいて計算することができる。すなわち、数式で表現すると、式（１）のような展開が可能であり、式（１）は、再び式（２）のように一般化することができる。
【００３２】
Ｒ＿ｇａｉｎ＝Ｇｓｕｍｒｅｇ［ＢｏｘＭａｘ］／Ｒｓｕｍｒｅｇ［ＢｏｘＭａｘ］＊１０２４
Ｂ＿ｇａｉｎ＝Ｇｓｕｍｒｅｇ［ＢｏｘＭａｘ］／Ｂｓｕｍｒｅｇ［ＢｏｘＭａｘ］＊１０２４……式（１）
【００３３】
Ｒ＿ｇａｉｎ＝１２８／（Ｒｓｕｍｒｅｇ［ＢｏｘＭａｘ］／Ｇｓｕｍｒｅｇ［ＢｏｘＭａｘ］）＊１０２４
Ｂ＿ｇａｉｎ＝１２８／（Ｂｓｕｍｒｅｇ［ＢｏｘＭａｘ］／Ｇｓｕｍｒｅｇ［ＢｏｘＭａｘ］）＊１０２４……式（２）
【００３４】
ここで、Ｇｓｕｍｒｅｇ［ＢｏｘＭａｘ］は、最大光源ボックス内のグリーンカラー値の全ての和を意味し、Ｒｓｕｍｒｅｇ［ＢｏｘＭａｘ］は、最大光源ボックス内のレッドカラー値の全ての和を意味し、Ｂｓｕｍｒｅｇ［ＢｏｘＭａｘ］は、最大光源ボックス内のブルーカラー値の全ての和を意味する。一方、１０２４は理論的な１０ビットマッピング値であり、１２８は０〜２５６カラースペースでの中間値である。したがって、式（２）を通してレッド及びブルーのゲインを調整すると、該当の光源ボックスに属していたホワイトピクセルがＲ／Ｇ及びＢ／Ｇを軸にする色座標系上で中心部分に移動するようになる。このようなゲインの調整を通してホワイトピクセルを色座標系上の中心部分に移動させることは、現在の光源に対するホワイトバランスを正確に合わせることを意味する。
【００３５】
図３を参照すると、本実施例は、図２と類似した構造を有するが、光源選択部１３０の後端に光源の誤検出を補償するための防御コード部１５０をさらに含み、バランスゲイン適用部１４０の代わりに、バランスゲイン適用部１４０と固定ＡＷＢ抽出部１４５を選択的に適用するＡＷＢ調整部１６０を含む。
【００３６】
防御コード部１５０は、まず、ＡＥ（Ａｕｔｏ  Ｅｘｐｏｓｕｒｅ）時間、すなわち、シャッタータイムインターバル（ｉｎｔ＿ｔｉｍｅ）を所定しきい値と比較し、室外環境であるか、それとも室内環境であるかを判断する。すなわち、ＡＥ時間が室外環境でより短くなることは自明であるので、ＡＥ時間が所定しきい値より小さい場合は室外環境と判断し、ＡＥ時間が所定しきい値より大きい場合は室内環境と判断する。例えば、しきい値を２００、すなわち、水平同期（Ｈｓｙｎｃ）ライン２００個に該当する時間に設定し、ＡＥ時間が２００より小さい場合は室外環境と判断し、ＡＥ時間が２００より大きいか、それと同じ場合は室内環境と判断する。
【００３７】
一方、防御コード部１５０は、室内環境と判断された場合にも、再び光源がデイライト（Ｄａｙｌｉｇｈｔ）であるかどうかを判断するが、これは、室内環境と判断された場合であるにもかかわらず、光源がデイライトである場合に室外環境によるＡＷＢを適用するためである。光源がデイライトであるかどうかは、光源選択部１２０で選択された最大光源ボックスが色座標系上で最下部に位置する光源ボックスであるかどうかを判断することによって決定することができる。
【００３８】
防御コード部１５０で周辺環境を判断した後、ＡＷＢ調整部１６０が周辺環境によってＡＷＢを調整する。ＡＷＢ調整部１６０は、バランスゲイン適用部１４０及び固定ＡＷＢ抽出部１４５を含むが、室内環境で、かつデイライトでない環境と判断された場合は、図２を参照して説明したように、バランスゲイン適用部１４０でレッドゲインとブルーゲインを最大光源ボックスのマッピング値に基づいて計算し、ＡＷＢを調整するようになる。一方、室外環境であるか、光源がデイライトである場合は、固定ＡＷＢ抽出部１４５を通して各光源によって従来に既に抽出されている固定値であるＡＷＢの所定範囲内で前記レッドゲイン又はブルーゲインを手動で調整することによってＡＷＢを調整する。
【００３９】
参照までに、室内及び室外環境の区分は、通常、ユーザーの趣向に合わせて考慮されるが、既に抽出された正確なＡＷＢ値でブルーゲイン値を補強して全般的に凉しく見せるか、人物を強調するためにレッドゲイン値を補強しようとする場合、手動でゲインを調整して使用することができる。この場合、室外環境テストで正確に計算されている固定ＡＷＢ値に基づいて、ターゲット映像に対して抽出された固定ＡＷＢ値から大きく逸脱しない範囲内で手動でレッドやブルーのゲイン値を上向きに調整しなければならない。このような方式をプリデファインド（ｐｒｅｄｅｆｉｎｅｄ）方式と定義する。
【００４０】
室内環境に対しては、本発明のＡＷＢ調整装置のバランスゲイン適用部１４０で式（２）を通してレッドゲイン及びブルーゲインを計算してＡＷＢを調整する方法を適用できるが、このような方式をノン―プリデファインド（Ｎｏｎ―ｐｒｅｄｅｆｉｎｅｄ）方式と定義する。
【００４１】
一方、室内環境内でも太陽光が多く入る窓と隣接した場所では、室内と判断せずに室外光源と判断し、プリデファインド方式を使用することができる。これと同様に、室外環境でも明るさが十分でないか、窓付近でも十分な太陽光が存在しない場所ではノン―プリデファインド方式を使用することができる。すなわち、環境を判断した上で、プリデファインド方式とノン―プリデファインド方式を混用して使用することを分割―プリデファインド（Ｐａｒｔｉｔｉａｌ―ｐｒｅｄｅｆｉｎｅｄ）方式と定義する。
【００４２】
前記のような定義に基づいて上述したＡＷＢ調整部１６０の作用を再び説明すると、室外環境であるか、光源がデイライトである場合は、プリデファインド方式を通してＡＷＢを調整し、室内環境であり、かつデイライトでない環境である場合は、ノン―プリデファインド方式を通してＡＷＢを調整する。本実施例のＡＷＢ調整装置１００ａは、防御コード部１５０を通して周辺環境を判断するようになり、その結果、プリデファインド方式とノン―プリデファインド方式を選択的に使用するので、全体的に分割―プリデファインド方式を採用しているといえる。また、本発明の分割―プリデファインド方式では、上述したように室内環境と室外環境を正確に区分せずに、必要によってプリデファインド方式とノン―プリデファインド方式を適宜混用して使用することができる。
【００４３】
本実施例のＡＷＢ調整装置は、マップスイッチングを通して最大１６個の光源ボックスを使用することによって、各光源間の偏差が減少し、画面の色相変化が大きく不安定になる問題を解決することができ、その結果、イメージセンサーの品質を向上させることができる。また、本発明は、光源ボックスの個数が増加するとともに、各光源ボックスがより小さくかつ稠密に配置されるので、該当光源に属しない色が入る確率が低下し、色感をより正確に表現できるという長所を有する。
【００４４】
一方、本実施例のＡＷＢ調整装置は、防御コード部を設け、周辺環境によってプリデファインド方式又はノン―プリデファインド方式を通してＡＷＢを調整することによって、太陽光と室内光が複合的に表れる環境のような多重光源環境で光源を誤検出する可能性を減少させ、周辺環境に対するバランス色感を極大化して表現することができ、また、ユーザー及び開発者の趣向に合わせて色感にゲインを適用し、より柔軟なＡＷＢを実行できるようにする。
【００４５】
図４は、色座標系内に光源ボックスを並べる状態を示す図であって、ここで、ｘ軸は、グリーンに対するブルーの相対的な色座標（Ｂ／Ｇ）を示し、ｙ軸は、グリーンに対するレッドの相対的な色座標（Ｒ／Ｇ）を示す。
【００４６】
図４を参照すると、本実施例のＡＷＢ調整装置においては、マップセッティング部１１０で、マップスイッチング方式を通して２個のフレームに２倍の光源ボックスに対するマップセッティングを行うようになる。このようなマップセッティング過程は、光ブース内でレンズシェーディング機能のみを活性化させた状態で、グレーチャートを最大限画面に充填し、マップスイッチング方式を通して最大１６個の光源ボックスをＨｏｒｉｚｏｎ、Ａ、ＴＬ８４、ＣＷＦ、Ｆｌｕｏｒｅｓｃｅｎｔ、Ｄａｙｌｉｇｈｔなどの試験光源によって順次並べることによって行われる。
【００４７】
このとき、それぞれの光源ボックスＡは、色座標系内で１０ｘ１０の大きさを有し、各試験光源間に空間が生じないように余分の光源ボックスを順次位置させる。順次並べられた各光源ボックスが該当の各光源間を充分に充填したと判断される場合、余分の光源ボックスは使用しなくてもよい。従来は、８個のレジスタを使用していたので、最大８個の光源ボックスのみをセッティングすることができた。したがって、各試験光源間を充分に充填できず、セッティングした各光源ボックス間にホワイトピクセルが最大に存在すると、付近の光源ボックスのマッピング値を通してレッドゲインとブルーゲインを計算することによって、正確なバランスゲインを獲得できないという問題があった。
【００４８】
しかし、本発明は、マップスイッチング方式を通して最大１６個の光源ボックスを使用できるので、それによって、各試験光源間を充分に充填できるように光源ボックスを配置することができる。一方、言及したように、光源バックスは必ずしも１６個を全部使用する必要はなく、該当の各光源間を充分に充填したと判断される場合、余分の光源ボックスを使用しなくてもよい。本図面では、１３個の光源ボックスＡが配置されていることが分かる。一方、余分の光源ボックスは、低照度及びスキントーン補正のために使用することができる。例えば、１０個の光源ボックスをマッピングのために使用し、残りの６個の余分の光源ボックスは低照度及びスキントーン補正のために使用することが望ましい。ここで、中心部分のボックスＢは、現在光源の各ホワイトピクセルが存在しなければならない色座標領域であって、バランスゲイン適用、すなわち、レッドゲイン及びブルーゲイン補正によって最大光源ボックスに属する各ホワイトピクセルが移動しなければならない領域である。
【００４９】
図５は、本発明のＡＷＢ装置内のマップセッティング部及びピクセルカウント部の動作を示す概念図である。
【００５０】
図５を参照すると、従来のマップセッティングは、８個のレジスタを用いてフレーム別に８個の光源ボックスに対するセッティングのみが可能である。すなわち、８個のレジスタに各光源ボックスに対する位置情報がセッティングされるようになる。しかし、本発明では、マップセッティング部１１０が、図示したように、まず、８個のレジスタを用いて第Ｎ−１番目のフレームＣ1に対して８個の光源ボックスをセッティングし、セッティングされた各光源ボックスに対して、ピクセルカウント部１２０が臨時格納部（図示せず）を用いてソフトウェア的にホワイトピクセルをカウントして格納する。次に、第Ｎ番目のフレームＣ2に対して再びレジスタを用いて光源ボックスをセッティングし、ピクセルカウント部１２０は、セッティングされた各光源ボックスに対してホワイトピクセルをカウントして格納する。
【００５１】
このようなマップスイッチング動作を通して、マップセッティング部１１０は、最大１６個の光源ボックスに対してマップセッティングを行うことが可能であり、ピクセルカウント部１２０は、最大１６個の光源ボックスに対するホワイトピクセルの個数をカウントすることが可能である。また、ピクセルカウント部１２０は、臨時格納部（図示せず）に格納されたホワイトピクセルの個数に基づいてホワイトピクセルの個数が最大である最大光源ボックスを抽出し、ホワイトピクセルの個数によって光源ボックスをソートする。一方、第Ｎ−１番目のフレームＣ1にセッティングされる各光源ボックスと第Ｎ番目のフレームＣ2にセッティングされる各光源ボックスの位置が異なるので、各フレーム間には垂直―同期（Ｖｓｙｎｃ：Ｄ）が合わせられなければならない。
【００５２】
ピクセルカウント部１２０を通して最大光源ボックスが抽出された場合、最大光源ボックスのマッピング値に基づいてレッドゲイン及びブルーゲインが式（２）を通して計算され、計算されたレッドゲイン及びブルーゲインは、第Ｎ＋１番目のフレームＣ3に適用される。その後、第Ｎ＋１番目のフレームＣ3は、次のマップセッティングに用いられ、それによって計算されたレッドゲイン及びブルーゲインが次の第Ｎ＋２番目のフレームに適用される方式で継続して進行される。
【００５３】
このようなマップセッティング過程及びピクセルカウント過程は、初期に設定されたマップセッティングに割り当てられたレジスタの個数に全的に依存するが、本実施例では、マップスイッチング方法を通して、必要によって割り当てられたレジスタの最大２倍数の光源ボックスを使用することができる。一方、上述したように、本発明は、必要によってマップスイッチング方法を通して３倍以上の光源ボックスをマップセッティングすることができる。
【００５４】
図６は、本発明の一実施例に係るＡＷＢが補正されていない場合の各色点の位置を示す色座標系を示す図である。図７は、図６の各色点に対応する演色性チャートを示す図である。
【００５５】
図６は、上述したマップセッティング部１１０及びピクセルカウント部１２０を通して１１個の光源ボックスＡのうちホワイトピクセルが最大である１０番の光源ボックスＡ１が最大光源ボックスであることを示している。ここで、Ｐは、１０番の光源ボックス内に存在する各ホワイトピクセルを含む色点を称する。
【００５６】
図７は、図６のように、各ホワイトピクセルが１０番の光源ボックス内に最大に存在する場合の演色性チャートに対する写真を示しているが、全体的にブルー系統に偏って表示されていることを確認することができる。
【００５７】
図８は、本発明の一実施例に係るＡＷＢが補正された場合の各色点の位置を示す色座標系を示す図である。図９は、図８の各色点に対応する演色性チャートを示す図である。
【００５８】
図８は、式（２）を通してレッドゲイン及びブルーゲイン計算してＡＷＢを補正した後、ホワイトピクセルを含む各色点Ｐ'が中心部分のボックスＢに移動した状態を示しており、図９は、そのようなＡＷＢ補正後の演色性チャートに対する写真を示している。図示したように、図７に比べて各色がより鮮明に表示されていることを確認することができる。
【００５９】
図１０は、本発明の他の実施例に係るＡＷＢ調整方法を示すフローチャートである。理解の便宜上、図２を参照して説明する。
【００６０】
図１０を参照すると、本実施例に係るＡＷＢ調整方法は、まず、マップセッティング部１１０で、マップスイッチングを通して設定されたレジスタの２倍に該当する光源ボックスに対するマップセッティングを行う（Ｓ１１０）。このようなマップスイッチングによるマップセッティングは、図４を参照して詳細に説明したので、それに対する説明は省略する。次に、ピクセルカウント部１２０を通して、セッティングされたそれぞれの光源ボックス内に属するホワイトピクセルの個数をカウントする（Ｓ１２０）。その後、光源選択部１３０は、ホワイトピクセルの個数が最大である最大光源ボックスに基づいて現在の光源を選択する（Ｓ１３０）。最大光源ボックスが抽出されると、最大光源ボックスのマッピング値に基づいて式（２）を通してバランスゲイン適用部１４０でレッドゲイン及びブルーゲインを計算してＡＷＢを調整する（Ｓ１４０）。
【００６１】
図１１は、本発明の更に他の実施例に係るＡＷＢ調整方法を示すフローチャートである。理解の便宜上、図３を参照して説明する。
【００６２】
図１１を参照すると、本実施例に係るＡＷＢ調整方法は、上述した図１０でのＡＷＢ調整方法と前段部の過程は同一である。すなわち、マップセッティングを行い（Ｓ２１０）、セッティングされたそれぞれの光源ボックス内に属するホワイトピクセルの個数をカウントし（Ｓ２２０）、最大光源ボックスに基づいて現在の光源を選択する（Ｓ２３０）。次に、防御コード部１５０を通して周辺環境を判断する（Ｓ２４０）。防御コード部１５０を通した周辺環境判断に対する内容は、図３を参照して詳細に説明したので、それについての説明は省略する。周辺環境を判断した後、ＡＷＢ調整部１６０で判断された周辺環境によってＡＷＢ調整を行う（Ｓ２５０）。以下、周辺環境判断過程（Ｓ２４０）とＡＷＢ調整過程（Ｓ２５０）は、図１２を参照してより詳細に説明する。
【００６３】
図１２は、図１１の撮影環境判断段階とＡＷＢ調整段階をより詳細に示すフローチャートである。
【００６４】
図１２を参照すると、光源を選択した後（Ｓ２３０）、防御コード部１５０で、室外環境であるか、それとも室内環境であるかを判断する（Ｓ２４２）。室外環境と室内環境を判断するときは、上述したように、ＡＥ時間、すなわち、シャッタータイムインターバル（ｉｎｔ＿ｔｉｍｅ）を所定しきい値と比較し、室外環境であるか、それとも室内環境であるかを判断する。例えば、しきい値を２００、すなわち、水平同期（Ｈｓｙｎｃ）ライン２００個に該当する時間に設定し、ＡＥ時間が２００より小さい場合は室外環境と判断し、ＡＥ時間が２００より大きいか、それと同じ場合は室内環境と判断する。
【００６５】
室内環境と室外環境を判断した後、室外環境である場合は、既に定義したプリデファインド方式を通してレッドゲイン及びブルーゲインを調整する（Ｓ２５２ａ）。一方、室内環境である場合は、再び光源がデイライトであるかどうかを判断する（Ｓ２４４）。光源がデイライトであるかどうかは、光源選択部１３０で選択された最大光源ボックスが色座標系上で最下部に位する光源ボックスであるかどうかを判断することによって決定することができる。光源がデイライトである場合は、再びプリデファインド方式を通してレッドゲイン及びブルーゲインを調整する（Ｓ２５２ａ）。一方、光源がデイライトでない場合は、ノン―プリデファインド方式、すなわち、式（２）を通してレッドゲイン及びブルーゲインを計算する（Ｓ２５２ｂ）。このような周辺環境によるゲイン計算が行われた後、該当のフレームに適用されてＡＷＢ調整が行われる（Ｓ２５４）。
【００６６】
図示したように、本実施例のＡＷＢ調整方法は、防御コード部を通して周辺環境によってプリデファインド方式又はノン―プリデファインド方式を選択的に適用できる分割―プリデファインド方式を採用する。
【００６７】
一方、上述したように、室内環境内でも太陽光が多く入る窓と隣接した場所では、室内と判断せずに室外光源と判断し、プリデファインド方式を使用することができ、これと同様に、室外環境であっても明るさが十分でないか、窓付近でも十分な太陽光が存在しない場所ではノン―プリデファインド方式を使用することができる。
【００６８】
以上、本発明を図面に示した実施例を参考にして説明したが、これは例示的なものに過ぎなく、本技術分野の通常の知識を有する者であれば、これから多様な変形及び均等な他の実施例が可能であることを理解するだろう。したがって、本発明の真の技術的保護範囲は、添付された特許請求の範囲の技術的思想によって定めなければならない。
【産業上の利用可能性】
【００６９】
本発明は、デジタル映像処理技術に関するものである。ＡＷＢを調整するために開示された技術、システム及び装置によると、最大１６個の光源ボックスが使用されるので、マップスイッチングを行うことによって映像の不安定なカラー変化を防止できるように光源間の偏差を減少させることができる。したがって、開示された技術、システム及び装置は、映像センサーの質を向上させることができる。
【図１】
0005427247.tif 000002
【図２】
0005427247.tif 000003
【図３】
0005427247.tif 000004
【図４】
0005427247.tif 000005
【図５】
0005427247.tif 000006
【図６】
0005427247.tif 000007
【図７】
0005427247.tif 000008
【図８】
0005427247.tif 000009
【図９】
0005427247.tif 000010
【図１０】
0005427247.tif 000011
【図１１】
0005427247.tif 000012
【図１２】
0005427247.tif 000013